(57)【特許請求の範囲】
【請求項１】
管状支柱の側面に設けられた取付孔にビームパイプの端部を上下に傾斜させて挿入して取付ける際に用いる隙間カバーであって、この隙間カバーは、
管状支柱の取付孔周縁部の表面に合致するように湾曲し且つビームパイプを上下に傾斜させて挿入し得るビームパイプの受口を有する環状鍔部と、
環状鍔部の裏側から奥細のテーパー状に傾斜して突設された複数個のビームパイプ挟着片と、
環状鍔部の裏側の上下のうち少なくとも一方及び左右のうち少なくとも一方にそれぞれ突設され且つ管状支柱の取付孔周縁に係止し得る隙間カバーの抜け止め突起と、
からなることを特徴とするビームパイプ取付け用隙間カバー
【請求項２】
隙間カバーが、プラスチック成形体からなる請求項１に記載のビームパイプの取付け用隙間カバー。
【請求項３】
管状支柱及びビームパイプが、擬木模様を有するプラスチック被覆金属管からなる請求項１又は２に記載のビームパイプ取付け用隙間カバー。
【発明の詳細な説明】
【０００１】
【発明の属する技術分野】
本発明は、防護柵のビームパイプ取付け用隙間カバーに関する。
【０００２】
【従来の技術】
一般の歩道や公園の遊歩道などには防護柵を設けることが多い。この種の防護柵は、一般に、管状支柱の側面に設けられた取付孔にビームパイプの端部を挿入して取付けることにより構成されている。
【０００３】
防護柵のビームパイプ取付け構造として、管状支柱の側面に設けらた取付孔に、外周面に抜け止め突起が形成され且つ内周面は奥細のテーパー面となされた鍔付き筒状体或いはこの筒状部分を縦方向に切欠して弾性をもたせた鍔付き筒状体を挿着し、この鍔付き筒状体にビームパイプの端部を挿入して取付けた構造のものが知られている（例えば、特開平８−２９６２１３号公報参照）。
【０００４】
このような鍔付き筒状体を使用するのは、管状支柱の取付孔へのビームパイプの挿入作業をスムーズに容易に行い、また鍔付き筒状体の鍔部により管状支柱とビームパイプとの間の隙間を隠して美観向上させるととに、筒状部分のテーパー面によりビームパイプのがたつきを抑えるためである。なお、抜け止め突起により、鍔付き筒状体が管状支柱の取付孔から外れないようになされる。
【０００５】
【発明が解決しようとする課題】
上記従来のビームパイプの取付け構造にあって、鍔付き筒状体は、管状支柱にビームパイプを水平に取付ける場合だけでなく、上下に約１０°以下の傾斜、好ましくは６°以下の傾斜をつけてビームパイプを取付ける場合にも使用可能である。
【０００６】
ところが、鍔付き筒状体の筒状部分が十分に変形し得るだけの余裕がなく、このような鍔付き筒状体にビームパイプを上下に約１０°を越える傾斜をつけて挿入する際には、鍔付き筒状体の筒状部分に無理な力がかかり、スムーズに挿入することができなかった。ビームパイプを強引に挿入すると、鍔付き筒状体に無理な力がかかり、鍔付き筒状体が管状支柱の取付孔から外れてしまう。
【０００７】
そのため、従来は、ビームパイプの傾斜が上下に約１０°を越える場合は、鍔付き筒状体を使用せずに、管状支柱の取付孔に直接ビームパイプの端部を挿入して取付けており、したがって、管状支柱の取付孔とビームパイプとの間に生じる隙間を隠して美観向上させることができず、しかもビームパイプのがたつきを抑えることもできなかった。
【０００８】
特に、公園の遊歩道などの防護柵には、景観のよい擬木模様を有するプラスチック被覆金属管からなるが管状支柱及びビームパイプが使用されることが多いが、この場合、ビームパイプの表面が平滑でなく凹凸の擬木模様からなるので、この凹凸による抵抗が大きくなって、鍔付き筒状体の中へビームパイプをスムーズに挿入するのが非常に難しくなる。
【０００９】
本発明は、上記の問題を解決するもので、その目的とするところは、ビームパイプの傾斜が約１０°を越える場合であっても、管状支柱の取付孔にビームパイプの端部をスムーズに挿入して取付けることができ、また管状支柱の取付孔とビームパイプとの間に生じる隙間を隠して美観を向上させることができ、しかもビームパイプのがたつきを抑えることができる、ビームパイプ取付け用隙間カバーを提供することにある。
【００１０】
【課題を解決するための手段】
上記の目的を達成するために、本発明は次のような構成としている。すなわち、本発明のビームパイプ取付け用隙間カバーは、管状支柱の側面に設けられた取付孔にビームパイプの端部を上下に傾斜させて挿入して取付ける際に用いる隙間カバーであって、この隙間カバーは、
【００１１】
管状支柱の取付孔周縁部の表面に合致するように湾曲し且つビームパイプを上下に傾斜させて挿入し得るビームパイプの受口を有する環状鍔部と、
【００１２】
環状鍔部の裏側から奥細のテーパー状に傾斜して突設された複数個のビームパイプ挟着片と、
【００１３】
環状鍔部の裏側の上下のうち少なくとも一方及び左右のうち少なくとも一方にそれぞれ突設され且つ管状支柱の取付孔周縁に係止し得る隙間カバーの抜け止め突起と、からなる構成とした（請求項１の発明）。
【００１４】
また、上記構成において、隙間カバーがプラスチック成形体からなる構成とした（請求項２の発明）。
【００１５】
さらに、上記構成において、管状支柱及びビームパイプが擬木模様を有するプラスチック被覆金属管からなる構成とした（請求項３の発明）。
【００１６】
【発明の実施の形態】
以下、図面に示す実施例を参照しながら、本発明を詳しく説明する。
図１は本発明のビームパイプ取付け用隙間カバーの一例を示し、（イ）は表から見た正面図、（ロ）は裏から見た背面図、（ハ）は横から見た側面図、（ニ）は上から見た平面図である。
【００１７】
図１において、１０は本発明のビームパイプ取付け用隙間カバーであって、図２により後で説明するように、管状支柱の側面に設けられた取付孔にビームパイプの端部を上下に傾斜させて挿入して取付ける際に用いるものである。
【００１８】
この隙間カバー１０は、環状鍔部１１と、４個のビームパイプ挟着片１２ａ、１２ａ、１２ｂ、１２ｂと、上方の抜け止め突起１３ａ及び左右の抜け止め突起１３ｂ、１３ｂとからなる。
【００１９】
そして、環状鍔部１１は、管状支柱の取付孔周縁部の表面に合致するように湾曲し且つビームパイプを約１０°以上を越えて上下に傾斜させて挿入し得る大きさのビームパイプの受口１１ａを有する。この環状鍔部１１は、管状支柱とビームパイプとの間に生じる隙間を隠すためのものである。
【００２０】
ここで、環状鍔部１１の形状及び受口１１ａの形状は縦長の楕円状に形成されているが、これに限定されず、例えば円形であってもよい。また、環状鍔部１１の鍔幅は上方が狭く形成されているが、これに限定されず、例えば全て同じ鍔幅であっても良い。また、環状鍔部１１の表側は脹らみを持った曲面となっているが、脹らみのない平面となっていてもよい。
【００２１】
上記４個のビームパイプの挟着片１２ａ、１２ａ、１２ｂ、１２ｂは、環状鍔部１１の裏側から奥細のテーパー状に傾斜して突設されている。これ等のビームパイプの挟着片は、ビームパイプを外側から挟着してがたつきを抑えるためのもので、２個のビームパイプ挟着片１２ａ、１２ａは、環状鍔部１１の裏側の斜め上方の位置に突設され、２個のビームパイプ挟着片１２ｂ、１２ｂは、環状鍔部１１の裏側の斜め下方の位置に突設されている。
【００２２】
このようなビームパイプの挟着片は４個に限らず、ビームパイプを外側から挟着し得るだけの複数個が突設されていればよい。しかし、上記のように、斜め上方に２個所（１２ａ、１２ａ）及び斜め下方に２個所（１２ｂ、１２ｂ）が突設されているものが、ビームパイプをスムーズに挿入し且つ強く挟着できる点から好ましい。
【００２３】
なお、管状支柱の斜め上方からビームパイプの端部を挿入する場合は、ビームパイプをよりスムーズに挿入するために、４個のビームパイプ挟着片１２ａ、１２ａ、１２ｂ、１２ｂで形成される奥細のテーパー形状は、やや斜め下方へ向くような形状にするか、或いは斜め上方の２個のビームパイプ挟着片１２ａ、１２ａをやや斜め下方へ向くような形状にするのが好ましい。
【００２４】
これとは逆に、管状支柱の斜め下方からビームパイプの端部を挿入する場合は、４個のビームパイプ挟着片１２ａ、１２ａ、１２ｂ、１２ｂで形成される奥細のテーパー形状は、やや斜め上方へ向くような形状にするか、或いは斜め下方の２個のビームパイプ挟着片１２ａ、１２ａをやや斜め上方へ向くような形状にするのが好ましい。
【００２５】
さらに、抜け止め突起１３ａは、環状鍔部１１の裏側の上方にほぼ垂直に突設され、抜け止め突起１３ｂ、１３ｂは、環状鍔部１１の裏側の左右の両方にほぼ垂直に突設されている。
【００２６】
上記左右の抜け止め突起１３ｂ、１３ｂは、主に管状支柱の取付孔に隙間カバー１０を取付けて、この隙間カバー１０の受口１１ａにビームパイプの端部を挿入する際に、隙間カバー１０が管状支柱から外れて落ちないようにするためのもので、このように環状鍔部１１の裏側の左右の両方に突設するのが好ましいが、環状鍔部１１の裏側の左右の一方のみに突設してもよい。
【００２７】
一方、上方の抜け止め突起１３ａは、主に環状鍔部１１の受口１１ａにビームパイプの端部を挿入する際にかかる力により、隙間カバー１０が管状支柱の取付孔周縁から外れて浮き上がり隙間ができないようにするためのものであり、管状支柱の斜め上方からビームパイプの端部を挿入する場合は、通常、環状鍔部１１の裏側の上方に突設される。
【００２８】
これとは逆に、管状支柱の斜め下方からビームパイプの端部を挿入する場合は、通常、環状鍔部１１の裏側の下方に突設される。また、環状鍔部１１の裏側の上方と下方の両方に突設してもよい。なお、１４は抜け止め突起１３ａの先端部の切欠部であり、後述のビームパイプの止めピンの挿通に支障がでないように円弧状に切欠している。
【００２９】
本発明の隙間カバー１０は、ポリカーボネート、ポリエチレン、ナイロン、ＡＢＳ樹脂などのプラスチック成形体や金属製のものが用いられる。特に、プラスチック成形体からなる隙間カバー１０を用いると、ビームパイプ挟着片１２ａ、１２ａ、１２ｂ、１２ｂ及び抜け止め突起１３ａ、１３ｂ、１３ｂが弾性変形しやすくなり、管状支柱の取付孔に取付ける際及び隙間カバー１０の受口１１ａにビームパイプを挿入する際の作業が容易となる。
【００３０】
本発明の隙間カバー１０は、例えば図２に示すように、管状支柱２０の側面に設けられた取付孔２１にビームパイプ３０の端部を上下に約１０°を越える傾斜をつけて挿入して取付ける際に用いられる。
【００３１】
図２は、本発明の隙間カバー１０の使用状態の一例を示し、（Ａ）は横から見た側面図、（Ｂ）は上から見た平面図である。図２において、２０は地面に一定間隔をおいて立設されている管状支柱（側壁の一部を示す）であって、この管状支柱２０の側面に設けられた縦長楕円状の取付孔２１に、図１に示す隙間カバー１０が取付けられる。
【００３２】
ここで、上記管状支柱２０及びビームパイプ３０は、鋼管やアルミニウム管のような金属管、これ等の金属管の表面に亜鉛メッキが施されたもの、プラスチックが被覆されたもの、塗装されたものが用いられる。特に、擬木模様を有するプラスチックを被覆した金属管からなるものは、景観の点から公園の遊歩道などの防護柵に好適に使用される。
【００３３】
隙間カバー１０は、管状支柱２０の縦楕円状の取付孔２１に押しつけるだけで、抜け止め突起１３ａ、１３ｂ、１３ｂの有する弾性により、これ等の抜け止め突起１３ａ、１３ｂ、１３ｂが管状支柱２０の取付孔に挿入され、図示するように管状支柱２０の取付孔周縁の側壁に係止される。そのため、隙間カバー１０が管状支柱２０から外れて落ちることがなく、施工作業を容易に行うことができる。
【００３４】
その後、この隙間カバー１０の縦楕円状の受口１１ａに、斜め上方から斜め下方へと傾斜させてビームパイプ３０の端部が挿入される。ビームパイプ３０は、隙間カバー１０の受口１１ａにやや力を入れて差し込むだけで、ビームパイプ挟着片１２ａ、１２ａ、１２ｂ、１２ｂで形成される奥細のテーパー状の内面に沿って、これ等の挟着片をやや広げながらスムーズの挿入される。
【００３５】
そして、隙間カバー１０の縦楕円状の受口１１ａに挿入されたビームパイプ３０の端部は、ビームパイプ挟着片１２ａ、１２ａ、１２ｂ、１２ｂの有する弾性により強く挟着され、ビームパイプ３０のがたつきが抑えられる。
【００３６】
このように、隙間カバー１０の受口１１ａにビームパイプ３０を斜め上方から斜め下方へと傾斜させてやや力を入れて差し込む際には、ビームパイプ挟着片１２ａ、１２ａ、１２ｂ、１２ｂの有する弾性に抗する力により、隙間カバー１０の上部が管状支柱２０の取付孔２１から浮き上がろうとする。
【００３７】
しかし、隙間カバー１０の上部に突設された抜け止め突起１３ａが管状支柱２０の取付孔周縁の側壁に係止されているので、隙間カバー１０の浮き上がりが防止され、管状支柱２０の取付孔２１とビームパイプ３０との間に隙間が生じることがない。
【００３８】
なお、３１はビームパイプ３０の端部に設けられた止めピン挿入用の孔であり、この孔３１に止めピン（図示せず）を挿通してビームパイプ３０の端部を管状支柱２０内で止められる。さらに、管状支柱２０の頂部にはキャップが被せられる。
【００３９】
図２に示す実施例では、主に、管状支柱２０の取付孔に斜め上方からビームパイプ３０の端部を挿入して取付ける場合について説明したが、管状支柱２０の取付孔２１に斜め上方からビームパイプ３０の端部を挿入して取付ける場合は、抜け止め突起１３ａが下方に位置するように、上記隙間カバー１０を上下反転して使用するのが好ましい。
【００４０】
【発明の効果】
上述の通り、本発明のビームパイプ取付用隙間カバーは、管状支柱の側面に設けられた取付孔にビームパイプの端部を上下に傾斜させて挿入して取付ける際に用いられるものであり、ビームパイプの傾斜が約１０°を越える場合であっても、管状支柱の取付孔にビームパイプの端部をスムーズに挿入して取付けることができ、また管状支柱の取付孔とビームパイプとの間の隙間を隠して美観を向上させることができ、しかもビームパイプのがたつきを抑えることができる。
【００４１】
特に、環状鍔部の裏側に突設された複数個のビームパイプ挟着片は、各々の挟着片が互いに離れて独立して突設されているので、ビームパイプの端部を上下に約１０°を越える傾斜をつけて挿入することによりビームパイプ挟着片に無理な力がかかっても、従来の隙間カバーに比べて、複数個のビームパイプ挟着片が十分に弾性変形してビームパイプをスムーズに挿入することができるという顕著な効果を奏する。
【００４２】
また、特に、環状鍔部の裏側の上下のうち少なくとも一方及び左右のうち少なくとも一方に、管状支柱の取付孔周縁に係止し得る隙間カバーの抜け止め突起を突設しており、このような特定の個所に抜け止め突起を突設することにより、管状支柱へ隙間カバーを取付ける際の外れを防止するとともに、ビームパイプの傾斜が約１０°を越える場合に隙間カバーに無理な力がかかっても、従来の隙間カバーに比べて、隙間カバーが管状支柱の取付孔からの浮き上がりが防止され、それにより管状支柱の取付孔と隙間カバーとの間に隙間が発生しないという顕著な効果を奏する。
【００４３】
なお、擬木模様を有するプラスチック被覆金属管からなる管状支柱及びビームパイプを用いる際にも、擬木模様の凹凸に邪魔されることなく、間隙にビームパイプが容易に挿通されるので、擬木模様を有するプラスチック被覆金属管からなるが管状支柱を用いた公園の遊歩道など美しい景観が要求される防護柵に適用すると有効である。
【図面の簡単な説明】
【図１】本発明のビームパイプ取付け用隙間カバーの一例を示し、（イ）は表から見た正面図、（ロ）は裏から見た背面図、（ハ）は横から見た側面図、（ニ）は上から見た平面図である。
【図２】図２に示すビームパイプ取付け用隙間カバーの使用状態の一例を示し、（Ａ）は横から見た側面図、（Ｂ）は上から見た平面図である。
【符号の説明】
１０            ビームパイプ取付け用隙間カバー
１１            環状鍔部１１
１１ａ          ビームパイプの受口
１２ａ、１２ｂ  ビームパイプ挟着片
１３ａ、１３ｂ  隙間カバーの抜け止め突起
２０            管状支柱
２１            取付孔
３０            ビームパイプ
【図１】
0003647244.tif 000002
【図２】
0003647244.tif 000003